(57)【要約】【課題】衣類用ハンガー等のハンガー骨部に交差方向からフック軸部を取付けるために使用するハンガー用フックの取付装置を提供する。【解決手段】固着具(7)と、該固着具を抱持する締結筒具(8)とから成り、前記固着具(7)は、可撓性プラスチックの一体成形により、中央部のシート状部(9)と、前記シート状部の両側に設けられた一対の湾曲部(10,10)と、各湾曲部から延設された半筒部(11,11)を備えており、前記シート状部(9)及び湾曲部(10,10)によりハンガー骨部を締着し、合掌した半筒部(11,11)の筒孔(12)にフック軸部(2a)を挿着するように構成され、前記締結筒具(8)は、前記合掌した半筒部(11,11)に外挿するように構成されており、前記シート状部(9)は、ハンガー骨部の軸方向と平行に延びる複数のリブ(13)を該シート状部の外側面に形成し、隣り合うリブの間に位置するヒンジ部(14)を複数形成している。【選択図】図２
2016168071.tif 000002
【特許請求の範囲】
【請求項１】
ハンガー骨部に交差方向からフック軸部を取付ける取付装置であり、固着具(7)と、該固着具を抱持する締結筒具(8)とから成り、
前記固着具(7)は、可撓性プラスチックの一体成形により、中央部のシート状部(9)と、前記シート状部の両側に設けられた一対の湾曲部(10,10)と、各湾曲部から延設された半筒部(11,11)を備えており、
前記シート状部(9)を屈曲することにより、一対の湾曲部(10,10)によりハンガー骨部(2)の外周面を挟着すると共に、合掌された一対の半筒部(11,11)の内部により筒孔(12)を形成し、該筒孔にフック軸部(2a)を挿着するように構成され、
前記締結筒具(8)は、前記合掌された一対の半筒部(11,11)に外挿することにより合掌状態を保持するように構成されており、
前記シート状部(9)は、ハンガー骨部の軸方向と平行に延びる複数のリブ(13)を該シート状部の外側面に形成し、隣り合うリブの間に位置するヒンジ部(14)を複数形成して成ることを特徴とするハンガー用フックの取付装置。
【請求項２】
前記シート状部(9)と湾曲部(10,10)は、断面円形に形成されたハンガー骨部(2)の外周面のうち、下側領域を前記シート状部(9)により締着すると共に、上側領域を前記一対の湾曲部(10,10)により締着するように構成されており、
前記一対の湾曲部(10,10)は、ハンガー骨部の外周面に沿う円弧状の接支面(15)と、相互に対向する当接部(16)を備えており、
ハンガー骨部の下側領域に前記シート状部(9)を配置した状態で、ハンガー骨部の上側領域に向けて前記一対の湾曲部(10,10)を起立させ、前記接支面(15,15)を該骨部の外周面に接支させると共に前記当接部(16,16)を相互に近接させることにより、前記シート状部(9)に張力を与えるように構成して成ることを特徴とする請求項１に記載のハンガー用フックの取付装置。
【請求項３】
前記一対の湾曲部(10,10)は、該湾曲部と前記半筒部の連設部に位置して、ハンガー骨部の外周面に臨む凹部(17)を形成し、該凹部に横架リブ(18)を設けると共に、該横架リブにハンガー骨部の外周面に沿う円弧状の接支面(15a)を形成しており、
少なくとも一方の湾曲部(10)は、前記横架リブの近傍からハンガー骨部の断面中心に向けて突出する突起(19)を設けており、
ハンガー骨部の外周面に設けた穴(2a)に前記突起(19)を嵌入するように構成して成ることを特徴とする請求項１又は２に記載のハンガー用フックの取付装置。
【発明の詳細な説明】
【技術分野】
【０００１】
本発明は、衣類用ハンガー等のハンガー骨部に交差方向からフック軸部を取付けるために使用するハンガー用フックの取付装置に関する。
【背景技術】
【０００２】
従来、ハンガー骨部に交差方向からフック軸部を取付けるための装置として、固着具と締結筒具とから成るハンガー用フックの取付装置が提案されている。この際、前記固着具は、ヒンジ手段を介して結合された一対の挟持部に半筒部を延設し、一対の挟持部によりハンガー骨部を挟着すると共に、相互に合掌させられた半筒部にフック軸部を挿着するように構成されている。前記締結筒具は、一対の半筒部に外挿することにより、合掌状態を保持するように構成されている。
【先行技術文献】
【特許文献】
【０００３】
【特許文献１】特開２００１−３２１２６２号公報
【発明の概要】
【発明が解決しようとする課題】
【０００４】
前記従来技術の固着具は、ハンガー骨部の外周面を一対の挟持部により左右から挟着したとき、可撓性を有しない挟持部の当接によりハンガー骨部を保持しているので、保持力が十分でなく、ハンガー骨部の上で摺動又は回動し、位置ずれを招来するおそれがある。
【０００５】
そこで、保持力を高めるためには、合掌状態とした一対の半筒部に外挿した締結筒具により、両半筒部を合掌方向に押圧し、該押圧力により一対の挟持部を締結することにより、挟持力を増加させるように構成すれば良いが、その際、一対の挟持部は、ヒンジ手段に離反方向の力を発生するので、該ヒンジ手段が分断されるおそれがある。
【課題を解決するための手段】
【０００６】
本発明は、上記課題を解決したハンガー用フックの取付装置を提供するものであり、その手段として構成したところは、ハンガー骨部に交差方向からフック軸部を取付ける取付装置であり、固着具と、該固着具を抱持する締結筒具とから成り、前記固着具は、可撓性プラスチックの一体成形により、中央部のシート状部と、前記シート状部の両側に設けられた一対の湾曲部と、各湾曲部から延設された半筒部を備えており、前記シート状部を屈曲することにより、一対の湾曲部によりハンガー骨部の外周面を挟着すると共に、合掌された一対の半筒部の内部により筒孔を形成し、該筒孔にフック軸部を挿着するように構成され、前記締結筒具は、前記合掌された一対の半筒部に外挿することにより合掌状態を保持するように構成されており、前記シート状部は、ハンガー骨部の軸方向と平行に延びる複数のリブを該シート状部の外側面に形成し、隣り合うリブの間に位置するヒンジ部を複数形成して成ることを特徴とするハンガー用フックの取付装置。
【０００７】
好ましい実施形態において、前記シート状部と湾曲部は、断面円形に形成されたハンガー骨部の外周面のうち、下側領域を前記シート状部により締着すると共に、上側領域を前記一対の湾曲部により締着するように構成されており、前記一対の湾曲部は、ハンガー骨部の外周面に沿う円弧状の接支面と、相互に対向する当接部を備えており、ハンガー骨部の下側領域に前記シート状部を配置した状態で、ハンガー骨部の上側領域に向けて前記一対の湾曲部を起立させ、前記接支面を該骨部の外周面に接支させると共に前記当接部を相互に近接させることにより、前記シート状部に張力を与えるように構成している。
【０００８】
更に好ましい実施形態において、前記一対の湾曲部は、該湾曲部と前記半筒部の連設部に位置して、ハンガー骨部の外周面に臨む凹部を形成し、該凹部に横架リブを設けると共に、該横架リブにハンガー骨部の外周面に沿う円弧状の接支面を形成しており、少なくとも一方の湾曲部は、前記横架リブの近傍からハンガー骨部の断面中心に向けて突出する突起を設けており、ハンガー骨部の外周面に設けた穴に前記突起を嵌入するように構成している。
【発明の効果】
【０００９】
本発明によれば、固着具７は、一対の湾曲部１０、１０の間にシート状部９を形成し、ハンガー骨部２の軸方向と平行に延びる複数のリブ１３を該シート状部９の外側面に突設し、隣り合うリブ１３、１３の間に位置してヒンジ部１４を形成しているので、リブ１３の間に位置する複数のヒンジ部１４を小刻みに湾曲させることにより、全体としてハンガー骨部２の外周面に沿って好適に屈曲させることが可能であり、しかも、リブ１３により軸折れ方向に対する強度を高く形成することが可能となる。
【００１０】
固着具７の半筒部１１、１１を締結筒具８により締結するとき、湾曲部１０、１０がハンガー骨部２の外周面に接支され、シート状部９に張力を与えるので、該シート状部９の全面をハンガー骨部２の外周面に面接触させ、強力に締着することができる。この際、シート状部９に作用する張力は、複数のヒンジ部１４に分散されるので、該ヒンジ部１４が分断されるおそれはない。
【００１１】
前記湾曲部１０、１０は、該シート状部９の収縮方向に向けて牽引されるので、該湾曲部１０、１０をハンガー骨部２の外周面に強く押圧することができる。
【００１２】
その結果、ハンガー骨部２の外周面のうち、下側領域は、小刻みに屈曲されたシート状部９により張力を伴って締着され、上側領域は、前記シート状部９の収縮方向に牽引される湾曲部１０、１０により締着され、このような締着状態が締結筒具８により保持されるので、取付装置６は、ハンガー骨部２の上で摺動又は回動することはなく、堅固な状態で固着されるという効果がある。
【図面の簡単な説明】
【００１３】
【図１】本発明の１実施形態に係るハンガー用フックの取付装置を実施したハンガーの１例を示す斜視図である。
【図２】１実施形態に係る取付装置と該取付装置により取付けられたハンガー骨部及びフックの断面を示しており、（Ａ）は全体断面図、（Ｂ）は部分拡大断面図である。
【図３】１実施形態に係る取付装置とハンガー骨部及びフック軸部を分離状態で示す斜視図である。
【図４】取付装置を構成する固着具を示しており、（Ａ）は固着具の外側を示す斜視図、（Ｂ）は固着具の内側を示す斜視図である。
【図５】図４（Ｂ）のＡ−Ａ線拡大断面図である。
【図６】ハンガー骨部に対して固着具を固着するときの作用を示す拡大断面図である。
【図７】ハンガー骨部と固着具と半筒部とフック軸部の関係を示しており、（Ａ）はハンガー骨部に固着具を固着した状態を示す断面図、（Ｂ）は固着具に締結具を外挿した状態を示す断面図、（Ｃ）はフック軸部を挿着した状態を示す断面図である。
【図８】固着具の意匠を示しており、（Ａ）は平面図、（Ｂ）は正面図、（Ｃ）は底面図、（Ｄ）は右側面図である。
【発明を実施するための形態】
【００１４】
以下図面に基づいて本発明の好ましい実施形態を詳述する。
【００１５】
図１は、本発明の１実施形態に係る取付装置によりフックを取付けられたハンガーの１例を示している。
【００１６】
図例の場合、ハンガー１として、ハンガー骨部２にクリップ３を設けた業務用のものを例示しているが、本発明は、ハンガーの構成を対象とするものではないから、その他の種々のハンガーに実施可能である。図示のように、断面円形とされたハンガー骨部２には、交差方向からフック４のフック軸部５が取付けられており、その取付けのために本発明の取付装置６が使用されている。尚、ハンガー骨部２の断面形状は、中実円形としたものを図示しているが、円形パイプでも良く、更に、外周円を楕円形としたものでも良い。
【００１７】
図１ないし図３に示すように、取付装置６は、固着具７と締結筒具８により構成されている。前記固着具７は、可撓性プラスチックの一体成形により、中央部のシート状部９と、該シート状部９の両側に設けられた一対の湾曲部１０、１０と、各湾曲部から延設された半割筒状の半筒部１１、１１を備えており、前記シート状部９を屈曲することにより、一対の湾曲部１０、１０によりハンガー骨部２の外周面を挟着すると共に、合掌された一対の半筒部１１、１１の内部により筒孔１２を形成し、該筒孔１２にフック軸部５を挿着するように構成されている。前記締結筒具８は、前記合掌された一対の半筒部１１、１１に外挿することにより合掌状態を保持するように構成されている。
【００１８】
前記固着具７は、図４に示すような展開状態で成形されており、前記シート状部９は、ハンガー骨部２の軸方向と平行に延びる複数のリブ１３を該シート状部９の外側面に間隔を密として突設し、隣り合うリブ１３、１３の間に位置してヒンジ部１４を形成し、間隔を密として多数のヒンジ部１４を配置しており、リブ１３の間に位置する多数のヒンジ部１４を小刻みに湾曲させることにより、全体としてハンガー骨部２の外周面に沿って好適に屈曲させることが可能であり、しかも、リブ１３により軸折れ方向に対する強度が高いものとされている。
【００１９】
図示のように、前記シート状部９と前記湾曲部１０は、断面円形に形成されたハンガー骨部２の外周面のうち、下側領域を前記シート状部９により締着すると共に、上側領域を前記一対の湾曲部により締着するように構成されている。前述のように屈曲自在な可撓性を有するシート状部９に対して、一対の湾曲部１０、１０は、分厚く成形されることにより剛性を有しており、ハンガー骨部２の外周面に沿う円弧状の接支面１５と、相互に対向する当接部１６を備えている。従って、後述するように、ハンガー骨部２の下側領域に前記シート状部９を配置した状態で、ハンガー骨部２の上側領域に向けて前記一対の湾曲部１０、１０を起立させ、前記接支面１５、１５を該骨部２の外周面に接支させると共に、前記当接部１６、１６を相互に近接させたとき、前記シート状部９に張力が好適に与えられるように構成されている。
【００２０】
前記一対の湾曲部１０、１０は、該湾曲部１０と前記半筒部１１の連設部に位置して、ハンガー骨部２の外周面に臨む凹部１７を形成し、該凹部１７に横架リブ１８を設けると共に、該横架リブ１８にハンガー骨部２の外周面に沿う円弧状の接支面１５ａを形成している。この際、少なくとも一方の湾曲部１０は、前記横架リブ１８の近傍からハンガー骨部の断面中心に向けて突出する突起１９を設けており、ハンガー骨部２の外周面に設けた穴２ａに前記突起１９を嵌入するように構成している。
【００２１】
前記半筒部１１は、前記湾曲部１０からハンガー骨部２の軸線に直交する方向に延設され、内側に多数の節を形成するように間隔を密として配置された内周溝２０を形成しており、上述のように一対の半筒部１１、１１を合掌したとき、上部を開口する筒孔１２が形成される。半筒部１１と前記湾曲部１０の凹部１７の間には隔壁２１が形成され、該隔壁２１により前記筒孔１２の底部が形成される。
【００２２】
前記湾曲部１０と前記半筒部１１の連設部に位置して、該半筒部１１の基部から外径方向に膨隆する大径部２２が形成されており、該大径部２２の異径段部により、締結筒具８を受止める座面２３が設けられている。更に、半筒部１１の軸方向中間位置には、外径方向に隆起する半割リング状の嵌着突起２４が設けられており、後述のように締結筒具８を外挿したとき、該嵌着突起２４が締結筒具８の内周面に嵌着されるように構成している。
【００２３】
前記締結筒具８は、プラスチックにより一体成形され、下部を開口する下向きカップ状に形成された頂壁２５と周壁２６を備え、前記頂壁２５に挿通孔２７を開設しており、周壁２６は、上向きに次第に小径とされたテーパ壁を形成し、前述のように合掌した半筒部１１、１１に外挿したとき、周壁２６のテーパ状内周壁により、前記嵌着突起２４に嵌着させられる嵌着壁２８を形成している。
【００２４】
前記フック４のフック軸部５は、軸端部の外周面から突出する多数の周条２９を周設しており、合掌した半筒部１１、１１により形成される筒孔１２に挿入したとき、前記周条２９を半筒部１１の内周溝２０に抜止め状に係止する。従って、図示のように、周条２９は、フック軸部５を筒孔１２に挿入した状態で、前記内周溝２０に対して、引き抜き方向に係止する断面直角三角形状に形成することが好ましい。
【００２５】
（取付方法と作用）
上記の取付装置６により、固着具７をハンガー骨部２に固着するためには、図５に示すように、ハンガー骨部２の下側領域にシート状部９を配置した状態で、ハンガー骨部２の上側領域に向けて、半筒部１１、１１と共に湾曲部１０、１０を起立させれば良く、これにより、シート状部９は、リブ１３の間に位置する複数のヒンジ部１４が小刻みに屈曲され、全体としてハンガー骨部２の外周面に沿って好適に屈曲させられる。
【００２６】
図６に示すように、湾曲部１０、１０が起立するとき、突起１９が穴２ａに進入し、更に起立させると、前記接支面１５、１５ａがハンガー骨部２の外周面に近接する。そこで、図７（Ａ）（Ｂ）に示すように、更に、湾曲部１０、１０を相互に当接部１６、１６が近接する直立姿勢まで起立させ、合掌させた半筒部１１、１１に締結筒具８を外挿し、該締結筒具８のテーパ状の嵌着壁２８を嵌着突起２４に圧接すると、これにより、半筒部１１、１１が締結され、相互に当接部１６、１６を近接し又は当接する。
【００２７】
前記半筒部１１、１１が締結筒具８により締結される際、接支面１５、１５ａがハンガー骨部２の外周面に接支され、この状態で、湾曲部１０、１０がシート状部９に張力を与えるので、該シート状部９は、全面をハンガー骨部２の外周面に面接触させ、強力に締着する。この際、シート状部９に作用する張力は、複数のヒンジ部１４に分散されるので、該ヒンジ部１４が分断されるおそれはない。
【００２８】
前記シート状部９は、張力を生じているので、該シート状部９の収縮方向に向けて湾曲部１０、１０を牽引し、該湾曲部１０、１０の円弧状の接支面１５をハンガー骨部２の外周面に押圧する。
【００２９】
その結果、ハンガー骨部２の外周面のうち、下側領域は、小刻みに屈曲されたシート状部９により張力を伴って締着され、上側領域は、前記シート状部９の収縮方向に牽引される湾曲部１０、１０の接支面１５により締着され、このような締着状態を締結筒具８により保持されるので、取付装置６は、ハンガー骨部２の上で摺動又は回動することはなく、堅固な状態で固着される。
【００３０】
フック４のフック軸部５は、図７（Ａ）（Ｂ）に鎖線で示すように、固着具７の半筒部１１、１１を起立させる際に、該半筒部１１、１１の間に介装させておいても良いが、図７（Ｃ）に実線で示すように、起立した半筒部１１、１１に締結筒具８を外挿した後に、該締結筒具８の挿通孔２７からフック軸部５を筒孔１２に挿入し、周条２９を内周溝２０に無理嵌めしても良い。
【００３１】
上述のように、取付装置６は、固着具７をハンガー骨部２の外周面に強力に締着されるので、本発明は、突起１９と穴２ａによる嵌合を必須要件とするものではないが、万一、固着具７がずれ動いたとき、元の位置に戻すことが困難なため、突起１９と穴２ａによる嵌合構造を設けることが好ましい。
【００３２】
この際、穴２ａをハンガー骨部２の下部に設け、突起１９をシート状部９の中央に設けても良いが、図示実施形態のように、穴２ａをハンガー骨部２の側部に設け、突起１９を一方の湾曲部１０に設けることが好ましい。穴２ａをハンガー骨部２にドリル工具で穿孔する際、水平方向のハンガー骨部を上下に複数設けたハンガーの場合、該ハンガー骨部の下側にドリル刃を臨ませることが困難となる問題があるのに対して、図示実施形態のようにハンガー骨部２の側部に穴２ａを配置するように構成しておけば、そのような問題を生じないという利点がある。
【符号の説明】
【００３３】
１  ハンガー
２  ハンガー骨部
２ａ  穴
３  クリップ
４  フック
５  フック軸部
６  取付装置
７  固着具
８  締結筒具
９  シート状部
１０  湾曲部
１１  半筒部
１２  筒孔
１３  リブ
１４  ヒンジ部
１５、１５ａ  接支面
１６  当接部
１７  凹部
１８  横架リブ
１９  突起
２０  内周溝
２１  隔壁
２２  大径部
２３  座面
２４  嵌着突起
２５  頂壁
２６  周壁
２７  挿通孔
２８  嵌着壁
２９  周条
【図１】
2016168071.tif 000003
【図２】
2016168071.tif 000004
【図３】
2016168071.tif 000005
【図４】
2016168071.tif 000006
【図５】
2016168071.tif 000007
【図６】
2016168071.tif 000008
【図７】
2016168071.tif 000009
【図８】
2016168071.tif 000010
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
ハンガー骨部に交差方向からフック軸部を取付ける取付装置であり、固着具(7)と、該固着具を抱持する締結筒具(8)とから成り、
前記固着具(7)は、可撓性プラスチックの一体成形により、中央部のシート状部(9)と、前記シート状部の両側に設けられた一対の湾曲部(10,10)と、各湾曲部から延設された半筒部(11,11)を備えており、
前記シート状部(9)をハンガー骨部の外周面に沿って屈曲することにより、一対の湾曲部(10,10)によりハンガー骨部(2)の外周面を挟着すると共に、合掌された一対の半筒部(11,11)の内部により筒孔(12)を形成し、該筒孔にフック軸部(5)を挿着するように構成され、
前記締結筒具(8)は、前記合掌された一対の半筒部(11,11)に外挿することにより合掌状態を保持するように構成されており、
前記シート状部(9)は、ハンガー骨部の軸方向と平行に延びる複数のリブ(13)を該シート状部の外側面に形成し、隣り合うリブの間に位置して薄肉シート状のヒンジ部(14)を複数形成しており、前記合掌された一対の半筒部(11,11)に前記締結筒具(8)を外挿した状態で、前記湾曲部(10,10)を介してシート状部(9)に張力を生じさせ、該シート状部(9)の内側面によりハンガー骨部の外周面を面接触状態で締着するように構成して成ることを特徴とするハンガー用フックの取付装置。
【請求項２】
前記シート状部(9)と湾曲部(10,10)は、断面円形に形成されたハンガー骨部(2)の外周面のうち、下側領域を前記シート状部(9)により締着すると共に、上側領域を前記一対の湾曲部(10,10)により締着するように構成されており、
前記一対の湾曲部(10,10)は、ハンガー骨部の外周面に沿う円弧状の接支面(15)と、相互に対向する当接部(16)を備えており、
ハンガー骨部の下側領域に前記シート状部(9)を配置した状態で、ハンガー骨部の上側領域に向けて前記一対の湾曲部(10,10)を起立させ、前記接支面(15,15)を該骨部の外周面に接支させると共に前記当接部(16,16)を相互に近接させることにより、前記シート状部(9)に張力を与えるように構成して成ることを特徴とする請求項１に記載のハンガー用フックの取付装置。
【請求項３】
前記一対の湾曲部(10,10)は、該湾曲部(10,10)と前記半筒部(11,11)の連設部に位置して、ハンガー骨部の外周面に臨む凹部(17)を形成し、該凹部に横架リブ(18)を設けると共に、該横架リブにハンガー骨部の外周面に沿う円弧状の接支面(15a)を形成しており、
少なくとも一方の湾曲部(10)は、前記横架リブの近傍からハンガー骨部の断面中心に向けて突出する突起(19)を設けており、
ハンガー骨部の外周面に設けた穴(2a)に前記突起(19)を嵌入するように構成して成ることを特徴とする請求項１又は２に記載のハンガー用フックの取付装置。
【手続補正２】
【補正対象書類名】明細書
【補正対象項目名】０００６
【補正方法】変更
【補正の内容】
【０００６】
本発明は、上記課題を解決したハンガー用フックの取付装置を提供するものであり、その手段として構成したところは、ハンガー骨部に交差方向からフック軸部を取付ける取付装置であり、固着具と、該固着具を抱持する締結筒具とから成り、前記固着具は、可撓性プラスチックの一体成形により、中央部のシート状部と、前記シート状部の両側に設けられた一対の湾曲部と、各湾曲部から延設された半筒部を備えており、前記シート状部をハンガー骨部の外周面に沿って屈曲することにより、一対の湾曲部によりハンガー骨部の外周面を挟着すると共に、合掌された一対の半筒部の内部により筒孔を形成し、該筒孔にフック軸部を挿着するように構成され、前記締結筒具は、前記合掌された一対の半筒部に外挿することにより合掌状態を保持するように構成されており、前記シート状部は、ハンガー骨部の軸方向と平行に延びる複数のリブを該シート状部の外側面に形成し、隣り合うリブの間に位置して薄肉シート状のヒンジ部を複数形成しており、前記合掌された一対の半筒部に前記締結筒具を外挿した状態で、前記湾曲部を介してシート状部に張力を生じさせ、該シート状部の内側面によりハンガー骨部の外周面を面接触状態で締着するように構成して成ることを特徴とするハンガー用フックの取付装置である。
【手続補正３】
【補正対象書類名】明細書
【補正対象項目名】００１８
【補正方法】変更
【補正の内容】
【００１８】
前記固着具７は、図４及び図５に示すような展開状態で成形されており、前記シート状部９は、ハンガー骨部２の軸方向と平行に延びる複数のリブ１３を該シート状部９の外側面に間隔を密として突設し、隣り合うリブ１３、１３の間に位置して薄肉シート状のヒンジ部１４を形成し、間隔を密として多数のヒンジ部１４を配置しており、リブ１３の間に位置する多数のヒンジ部１４を小刻みに湾曲させることにより、全体としてハンガー骨部２の外周面に沿って好適に屈曲させることが可能であり、しかも、リブ１３により軸折れ方向に対する強度が高いものとされている。
【手続補正４】
【補正対象書類名】明細書
【補正対象項目名】００２７
【補正方法】変更
【補正の内容】
【００２７】
前記半筒部１１、１１が締結筒具８により締結される際、接支面１５、１５ａがハンガー骨部２の外周面に接支され、この状態で、湾曲部１０、１０がシート状部９に張力を与えるので、該シート状部９は、内側面の全面をハンガー骨部２の外周面に面接触させ、強力に締着する。この際、シート状部９に作用する張力は、薄肉シート状とされた複数のヒンジ部１４に分散されるので、該ヒンジ部１４が分断されるおそれはない。